(57)【特許請求の範囲】
【請求項１】
背枠に対し、背当機能部を真前方への引きによっては外れず且つ上方又は斜め上前方への引きによって外せるように係止し、この係止は、前記背枠の上端面に設けた前上がり斜面と、前記背当機能部の上端から後方へ突設した係合突部の下面に設けた後下がり斜面との係合により行うことを特徴とする座席。
【請求項２】
座枠に対し、座機能部を真前方への引きによっては外れず且つ上方又は斜め上前方への引きによって外せるように係止した請求項１記載の座席。
【請求項３】
前記背当機能部の前面下端に前記座機能部の後端面を当てることにより、該背当機能部の下端が前方へ変位しないよう規制した請求項２記載の座席。
【請求項４】
背枠及び座枠に対し、一体化した背当機能部及び座機能部を真前方への引きによっては外れず且つ上方又は斜め上前方への引きによって外せるように係止し、背当機能部の係止は、前記背枠の上端面に設けた前上がり斜面と、前記背当機能部の上端から後方へ突設した係合突部の下面に設けた後下がり斜面との係合により行うことを特徴とする座席。
【請求項５】
前記座席は掛け人数が複数であるベンチ型座席であって、座席全長にわたる一つの前記背枠に対し、掛け人数に略対応した数の前記背当機能部を別々に外せるように係止した請求項１、２又は３記載の座席。
【請求項６】
前記座席は掛け人数が複数であるベンチ型座席であって、座席全長にわたる一つの前記座枠に対し、掛け人数に略対応した数の前記座機能部を別々に外せるように係止した請求項２又は３記載の座席。
【請求項７】
前記座席は掛け人数が複数であるベンチ型座席であって、座席全長にわたる一つの前記背枠及び座枠に対し、掛け人数に略対応した数の前記背当機能部及び座機能部を別々に外せるように係止した請求項４記載の座席。
【発明の詳細な説明】
【０００１】
【発明の属する技術分野】
本発明は、座席に関し、特に使用頻度の高い座席（例えば、飲食店、銀行、病院、駅等に設置される客向けの業務用座席や、役所等に設置される不特定人向けの公共用座席等）に適した座席に係るものである。
【０００２】
【従来の技術】
この種の飲食店等に設置される業務用型座席や役所等に設置される公共用座席、座枠に座クッションが支持され、座クッションの表面に張られた座表張りの周縁部が座枠に固定されている。また、同様に、背枠に背当クッションが支持され、背当クッションの表面に張られた背当表張りの周縁部が背枠に固定されている。
【０００３】
【発明が解決しようとする課題】
上記のように、従来の業務用座席や公共用座席は、座表張りや背当表張りが座枠や背枠に固定されているため、次のような問題があった。
【０００４】
▲１▼  座表張りや背当表張りが、高い使用頻度によって擦り切れたり破れたり、タバコの火等によって焼けこげたりして損傷すると、その表張りを取り外して、新しい表張りを張り直さなければならず、その張り替え作業に手間と時間がかかる。また、その張り替え作業には熟練を要すため、製造元又は専門業者に修理を依頼する必要があり、迅速な対応が困難であった。
【０００５】
▲２▼  また、例えば製造元又は専門業者の工場に運び込んで修理する場合は、座席自体を輸送しなければならないため、修理に加えて、往復の輸送にもコスト及び時間がかかるという問題があった。
【０００６】
▲３▼  特に、掛け人数が複数であるベンチ型座席においては、座席全長にわたって座表張りや背当表張りがそれぞれ一つに連続していたため、表張り又はクッションの一部が損傷しただけで、その表張り又はクッションの全部を交換する必要があり、コストがかかっていた。しかも、廃棄しなければならない損傷した表張り又はクッションが大量に発生することになるため、環境上の問題があった。特に、その表張りが樹脂シート（例えば近年問題視されている塩化ビニル樹脂シート）や合成繊維布である場合は、問題が重大であった。
【０００７】
ところで、実開昭６０−９７０５８号公報には、モザイク風に組み合わせ可能な複数のコンポーネントに面ファスナ等の固定材を設け、座部及び（又は）背当部へ任意の組み合わせで配置し着脱しうるようにした座席が開示されている。この座席によれば、損傷したコンポーネントのみを交換することができる。しかし、面ファスナ等の固定材では、例えば、子供が座席の上で飛び跳ねたり、座席を押し引きしたり、座席にぶら下がったりして悪ふざけすると、コンポーネントが外れてしてしまう恐れがあり、安全性に不安がある。特に、飲食店等に設置される業務用型座席や役所等に設置される公共用座席は、多くの者に使用されるため、安全性には十分に配慮する必要がある。
【０００８】
本発明の目的は、上記課題を解決し、背当機能部又は（及び）座機能部を簡単に交換できる安全性の高い座席を提供することにある。さらに、環境上の問題を軽減できる座席を提供することにある。
【０００９】
【課題を解決するための手段】
第一の発明に係る座席は、背枠に対し、背当機能部を真前方への引きによっては外れず且つ上方又は斜め上前方への引きによって外せるように係止し、この係止は、次項で述べる態様（１）により行うことを特徴としている。「斜め上前方」における水平に対する傾斜角は、特に限定されないが、背当機能部の付け外しのしやすさや、例えば子供が悪ふざけして真前方に引いても外れないようにすること等を考慮すると１５°〜８９°が好ましく、２０°〜６０°がさらに好ましい。
【００１０】
この背当機能部としては、背当支持板と、該背当支持板に支持された背当クッションと、該背当クッションの表面に張られた背当表張りとを含むものを例示できる。背当クッションとしては、樹脂フォーム（例えばウレタンフォーム）を使用したものや、コイルスプリングを使用したもの等を例示できる。背当表張りとしては、樹脂シート、繊維布等を例示できる。何れの例示もこれらに限定されるものではない。
【００１１】
また、背当機能部の係止の具体的態様としては、次の態様（１）〜（４）を検討し、本発明では態様（１）を採用した。
【００１２】
（１）前記背枠の上端面に設けた前上がり斜面と、前記背当機能部の上端から後方へ突設した係合突部の下面に設けた後下がり斜面との係合により行う態様。
【００１３】
（２）前記背枠の上端面と、前記背当機能部の上端から後方へ突設した係合突部の下面とに、相対的に設けた凸部と凹部との係合により行う態様。
【００１４】
（３）前記係止は、前記背枠の前面と、前記背当機能部の後面とに、相対的に設けたフック部と被係合部との係合により行う態様。
【００１５】
（４）前記係止は、前記背枠の上端部と、前記背当機能部の上端から後方に突設したフック部との係合により行う態様。
【００１６】
この発明に係る座席は、さらに、座枠に対し、座機能部を真前方への引きによっては外れず且つ上方又は斜め上前方への引きによって外せるように係止することができる。「斜め上前方」における水平に対する傾斜角は、特に限定されないが、座機能部の付け外しのしやすさ、座機能部が使用時にずれないようにすること等を考慮すると、３０°〜８９°が好ましく、４５°〜８９°がさらに好ましい。
【００１７】
この座機能部としては、座支持板と、該座支持板に支持された座クッションと、該座クッションの表面に張られた座表張りとを含むものを例示できる。座クッションとしては、樹脂フォーム（例えばウレタンフォーム）を使用したものや、コイルスプリングを使用したもの等を例示できる。座表張りとしては、樹脂シート、繊維布等を例示できる。何れの例示もこれらに限定されるものではない。
【００１８】
また、座機能部の係止は、特に限定されないが、次の態様（１）（２）を例示できる。
【００１９】
（１）前記座枠の枠内面と、前記座機能部の下面に突設した桟との係合により行う態様。
【００２０】
（２）前記座枠の上面と、前記座機能部の下面とに、相対的に設けた凸部と凹部との係合により行う態様。
【００２３】
さらに、前記背当機能部の前面下端に前記座機能部の後端面を当てることにより、該背当機能部の下端が前方へ変位しないよう規制することができる。
【００２４】
第二の発明に係る座席は、背枠及び座枠に対し、一体化した背当機能部及び座機能部を真前方への引きによっては外れず且つ上方又は斜め上前方への引きによって外せるように係止し、背当機能部の係止は、前記第一の発明の項で述べた背当機能部の係止の態様（１）により行うことを特徴としている。
【００２５】
この場合も、背当機能部、また、座機能部及びその係止の態様については、上記の例示をそのまま例示できる。
【００２６】
第一の発明において、前記座席が掛け人数が複数であるベンチ型座席である場合、座席全長にわたる一つの前記背枠に対し、掛け人数に略対応した数の前記背当機能部を別々に外せるように係止することが好ましい。
【００２７】
第一の発明において、さらに、座枠に対し、座機能部を真前方への引きによっては外れず且つ上方又は斜め上前方への引きによって外せるように係止する場合であって、前記座席が掛け人数が複数であるベンチ型座席である場合、座席全長にわたる一つの前記座枠に対し、掛け人数に略対応した数の前記座機能部を別々に外せるように係止することが好ましい。
【００２８】
第二の発明において、前記座席が掛け人数が複数であるベンチ型座席である場合、座席全長にわたる一つの前記背枠及び座枠に対し、掛け人数に略対応した数の前記背当機能部及び座機能部を別々に外せるように係止することが好ましい。
【００２９】
なお、「掛け人数に略対応した数」とは、掛け人数と同一の数に限定されるものではなく、掛け人数（例えば３人）に対して一定の割合で少ない数（例えば２つ）又は多い数（例えば４つ）でもよい。
【００３０】
【発明の実施の形態】
以下、本発明を掛け人数が複数（本実施形態では、２人）であるベンチ型座席に具体化した実施形態例について、図面を参照して説明する。
【００３１】
図１〜図５に示す実施形態のベンチ型座席１は、床に載置又は固定される台座部２と、該台座部２の上に着脱可能に取り付けられた枠体８と、該枠体８の左右の側面に取り付けられた一対の飾り板４とを備えている。枠体８は、座枠３と背枠７とを含んでいる。座席１全長にわたる一つの枠体８（座枠３及び背枠７）には、それぞれ２つ（掛け人数に対応した数）の座機能部５及び背当機能部６が別々に外せるように係止されている。
【００３２】
台座部２は、上側が開口した平面長方形の箱状に形成され、その長さ方向の中間部に仕切り板２ａが設けられている。この台座部２の中には、各種の物品を収納することができるようになっている。
【００３３】
枠体８は、逆Ｌ字状に形成された一対の側枠板１０と、該両側枠板１０と略同形状の中枠板１１とを備え、該両側枠板１０及び中枠板１１は、その逆Ｌ字の前端部、逆Ｌ字の上端部、及び、逆Ｌ字の内角部がそれぞれ前枠板１２、上枠板１３、及び、内枠板１４で接続されている。この枠体８の側面逆Ｌ字の水平部分が座機能部５を支持する座枠３であり、同逆Ｌ字の後端側の高さ方向に延びる部分が背枠７である。上枠板１３は、その上面１３ａが前上がり斜面となるように設けられており、これが背枠７の上端面に設けた前上がり斜面である。
【００３４】
座枠３の下面前端側及び後端側には、それぞれ底枠板１５が架設されており、該各底枠板１５には、左右一対の桟１６が下方に向けて突設されている。各桟１６は、座枠３を台座部２の上に取り付けたときに、座枠３が前後左右にずれないように台座部２の上端開口の内縁部に嵌合するようになっている。
【００３５】
飾り板４は、側枠板１０より一回り大き目に形成されており、各側枠板１０に取り付けられると、飾り板４の周端部が側枠板１０の面方向に突出するようになっている。
【００３６】
座機能部５は、座支持板２１と、該座支持板２１に支持された座クッション２２と、該座クッション２２の表面に張られた座表張り２３とを含んでおり、座表張り２３の周縁部は、座支持板２１の裏面に固定されている。該座支持板２１の下面には、その前端部から下方に座前板２５が突設されるとともに、該座前板２５から枠体８の前枠板１２の厚さ分の間隔を置いて左右一対の桟２４が突設されている。そして、座機能部５を座枠３に取り付けると、座枠３の枠内面（座前板２５の後面）と、この桟２４との係合により、座枠３に対し、座機能部５を真前方への引きによっては外れず且つ上方への引きによって外せるように係止するようになっている。
【００３７】
背当機能部６は、背当支持板２８と、該背当支持板２８に支持された背当クッション３０と、該背当クッション３０の表面に張られた背当表張り３１とを含んでおり、背当表張り３１の周縁部は、背当支持板２８の裏面に固定されている。背当支持板２８の裏面上端側には係合突部としての突板３２が突設されている。突板３２は、その下面３２ａが上枠板１３の上面１３ａに係合する後下がり斜面となるように設けられており、上枠板１３の上面１３ａと突板３２の下面３２ａとの係合により背枠に対し、背当機能部を真前方への引きによっては外れず且つ上方又は斜め上前方への引きによって外せるように係止するようになっている。上枠板１３の上面１３ａの水平に対する傾きは、約３０°である。
【００３８】
次に、本座席１の組み立て方法について説明すると、まず、図３に示すように枠体８の左右の側枠板１０に、それぞれ飾り板４を木ネジで固定する。次いで、枠体８の各桟１６を台座部２の上端開口の内縁部に嵌合させて、枠体８を台座部２の上に載せる。次いで、図４に示すように、各背当機能部６の突板３２の下面３２ａを背枠７の上枠板１３の上面１３ａに嵌合させて、各背当機能部６を背枠７に取り付ける。このとき、２つの背当機能部６は側枠板１０から突出した飾り板４の周端部によって左右方向にずれないように位置が規制される。次いで、図５に示すように、座枠３の枠内面（座前板２５の後面）と、座機能部５の桟２４とを係合させて、各座機能部５を座枠３に取りつける。すると、背当機能部６の前面下端に座機能部５の後端面が当たり、背当機能部６の下端が前方へ変位しないように規制するようになる。このとき、２つの座機能部５も背当機能部６と同様に飾り板４の周端部によって左右方向にずれしないように位置が規制される。これで座席１の組み立てが完了する。
【００３９】
このように構成された座席１によれば、座席全長にわたる一つの枠体８（座枠３及び背枠７）に、それぞれ２つの背当機能部６及び座機能部５を別々に外せるように係止しているので、例えば、いずれかの背当機能部６又は座機能部５の表張り２３，３１又はクッション２２，３０が損傷したときは、その背当機能部６又は座機能部５のみを交換すればよい。従って、廃棄しなければならない損傷した表張り又はクッションの量が従来より減少し、環境上の問題が軽減される。
【００４０】
この背当機能部６又は座機能部５は前述のように簡単に着脱できるので、製造元又は専門業者に依頼するまでもなく、飲食店等のサービス施設の店員等でも交換できる。そして、製造元の工場で修理するときは、損傷した背当機能部６又は座機能部５のみを輸送すればよいため、往復の輸送コストを低減することができる。
【００４１】
また、背枠７の上枠板１３の上面１３ａに設けた前上がり斜面と、背当機能部６の上端から後方へ突設した係合突部としての突板３２の下面３２ａに設けた後下がり斜面との係合により、背枠７に対し背当機能部６を係止するようにしたので、従来とは異なり、例えば子供が悪ふざけして背当機能部６に真前方への引きが加わっても、背当機能部６が外れることはない。
【００４２】
さらに、座枠３の枠内面と、座機能部５の下面に突設した桟２４との係合により、座枠３に対し座機能部５を係止するようにしたので、背当機能部６と同様、座機能部５に真前方への引きが加わっても座機能部５が外れることはない。
【００４３】
なお、本発明は前記実施形態の構成に限定されず、例えば以下のように、発明の趣旨から逸脱しない範囲で適宜変更して具体化することもできる。
（１）背枠の上端面と、背当機能部の上端から後方へ突設した係合突部の下面とに、相対的に設けた凸部と凹部との係合により、背枠に対し背当機能部を係止すること。例えば、図６に示すように背枠７の上端に凸部４０を設け、背当機能部６の上端から後方へ突設した係合突部の下面に凹部４１を設けることを挙げることができる。
【００４４】
（２）背枠の前面と、背当機能部の後面とに、相対的に設けたフック部と被係合部との係合により背枠に対し背当機能部を係止すること。例えば、図７に示すように背枠７の任意の高さ位置に座席１の幅方向に被係合部としての架橋桟４６を設けるとともに、背当機能部６の後面に該架橋桟４６に係合するフック部４５を設けることを挙げることができる。
【００４５】
（３）背枠の上端部と、背当機能部の上端から後方に突設したフック部との係合により背枠に対し背当機能部を係止すること。例えば、図８に示すように背当機能部の上端から後方に、その幅全体で延びるフック部５０を形成することを挙げることができる。
【００４６】
（４）座枠の上面と、座機能部の下面とに、相対的に設けた凸部と凹部との係合により座枠に対し座機能部を係止すること。例えば、図９に示すように座枠３の前枠板１２の上端面に凸部５５を設け、座機能部５の座支持板２１の下面に該凸部５５が係合する凹部５６を設けること。
【００４７】
（５）背当機能部６と座機能部５とを座席機能部として一体に形成し、背枠７と座枠３とを含む枠体８に対し、該座席機能部を真前方への引きによっては外れず且つ上方又は斜め上前方への引きによって外せるように係止すること。
【００４８】
（６）背枠に対し、背当機能部を外れないように、木ネジ等の固定手段により固定すること。
【００４９】
【発明の効果】
以上詳述したように、請求項１〜４記載の本発明によれば、背背当機能部又は（及び）座機能部を簡単に交換できる安全性の高い座席を提供することができる。同効果に加え、請求項５〜７記載の本発明によれば、環境上の問題を軽減することができる。
【図面の簡単な説明】
【図１】本発明を具体化した実施形態の座席の斜視図である。
【図２】図１のＩＩ−ＩＩ線断面図である。
【図３】同座席の分解斜視図である。
【図４】同座席の組み立て方法を示す側断面図である。
【図５】同組み立て方法の別の段階を示す側断面図である。
【図６】同座席の変更例を示す部分断面図である。
【図７】同座席の別の変更例を示す部分断面図である。
【図８】同座席のまた別の変更例を示す部分断面図である。
【図９】同座席のさらに別の変更例を示す部分断面図である。
【符号の説明】
１    座席
３    座枠
５    座機能部
６    背当機能部
７    背枠
１３ａ  前上がり斜面としての上面
１６    桟
２１    座支持板
２２    座クッション
２３    座表張り
２４    桟
２８    背当支持板
３０    背当クッション
３１    背当表張り
３２    係合突部としての突板
３２ａ  後下がり斜面としての下面
４０    凸部
４１    凹部
４５    フック部
４６    架橋桟
５０    フック部
５５    凸部
５６    凹部
【図１】
0003619369.tif 000002
【図２】
0003619369.tif 000003
【図３】
0003619369.tif 000004
【図４】
0003619369.tif 000005
【図５】
0003619369.tif 000006
【図６】
0003619369.tif 000007
【図７】
0003619369.tif 000008
【図８】
0003619369.tif 000009
【図９】
0003619369.tif 000010